(57)【要約】    【課題】    建築物の梁等に用いられるＨ型鋼等の従来の建築用ビ−ムは強度上十分とはいえないものが多く、強度が大である形状のビームを構成する。    【解決手段】    本発明のビームは、断面形状が正方形又は長方形で内部が空洞であるボックス型で、強度が極めて大で、建築材としての使用に便利な形状とした。特に４隅を夫々パイプとし、このパイプに鉄板を熔接等にて接合することにより、製作が容易であってしかも極めて強度の強いビームとした。【選択図】            図１
2008150777.tif 000002
【特許請求の範囲】
【請求項１】
４隅に並び配置した４本のパイプと、前記４本のパイプにて形成される上、下、左、右の側面に夫々鉄板を配置し固定した断面が正方形又は長方形であって内部が空洞のボックス型の建築用ビーム。
【請求項２】
前記４隅の各パイプを少なくとも両端を含む複数箇所において互いに隣接するパイプを接続する他のパイプを設けて枠組みを形成し、前記パイプにて形成された枠組みの上下左右の各側面に鉄板を接合した請求項１のボックス型の建築用ビーム。
【請求項３】
前記４隅のパイプを結ぶパイプの一部が斜めに接続した斜材である請求項２のボックス型の建築用ビーム。
【請求項４】
前記４隅の各パイプとこれを結ぶ各パイプとを熔接により固定し、前記４隅のパイプの上、下、左、右の側面にボルト締めにより鉄板を固定することにより形成された請求項２又は３のボックス型の建築用ビーム。
【請求項５】
前記４隅のパイプに鉄板を隅肉熔接により接合した請求項４のボックス型の建築用ビーム。
【請求項６】
前記各鉄パイプが断面多角形状のパイプである請求項１、２、３又は４のボックス型の建築用ビーム。
【発明の詳細な説明】
【技術分野】
【０００１】
本発明は、建築物の梁等に用いられる建築用ビームに関するものである。
【背景技術】
【０００２】
従来、建築物の梁等に用いられる建築用ビームとして、Ｈ型鋼等が用いられていた。
【０００３】
しかし、これら建築材料は、各種方向からの力等の各種の力が加わる部分における建築材としては、すべての力に対する強度が十分得られるものではない。    又、Ｈ型鋼の場合、建築の際のこれらビームを含めた部材を用いて建物（ビル）全体の枠組みを行なった後に外装である壁面等を取り付ける際に、Ｈ型鋼の場合、凹部が生ずることから、過去においては、現在使用を禁止されているアスベストが最も好ましい材料として用いられていた。現在では使用禁止のため他の種々の材料が利用されているが、いずれも最適な材料とはいえない。
【０００４】
建築用のビームとして、強度の点のみから考えると、断面形状が円形の一定の厚さを有する鋼材にて形成されたパイプ状のビームが考えられるが、その製作が困難であり、所定の強度を有する厚さの鋼材でパイプ状のビームを形成することは、コスト面も考え合わせると不可能に近い。
【０００５】
更に、パイプ状ビームは、これをビル等の建築物に用いた場合、その外面がいずれの部分も曲面となるため、これに外壁部分を取り付けるのが極めて困難である。
【０００６】
又、強度が極めて大であるビーム形状として、断面が正多角形（例えば正八角形のパイプ状のビームが考えられるが、これも製作が困難で極めてコスト高になるという欠点を有している。
【発明の開示】
【発明が解決しようとする課題】
【０００７】
本発明は、断面形状が正方形又は長方形で内部が実質上空洞であるボックス型の建築用ビームを提供するものである。
【課題を解決するための手段】
【０００８】
本発明のボックス型の建築用ビームは、４隅の夫々に配置した４本のパイプにて形成される上、下、左、右の側面に夫々鉄板を配置しこれを各パイプに接合し固定することによって構成されたビームであって、断面が正方形又は長方形であって内部が空洞である。
【０００９】
本発明のボックス型の建築用ビームは、長方形又は正四角形の四隅にあたる箇所に平行に並び配置された４本の同一断面形状の角型パイプと、少なくともその端において設けられたこれら４本のパイプの上下方向および左右方向を結ぶ２本づつのパイプにて形成された枠組みと、これらパイプにて形成される上下、左右の面に固定された鉄板とよりなる。
【００１０】
特に本発明のボックス型の建築用ビームは、長手方向の４本の鉄パイプと、縦方向および横方向の２本づつの４本の鉄パイプとを夫々熔接にて接合固定すると共に、それらパイプに対し、鉄板をボルト締めにて固定することにより、所望の強度を保ちながら容易にボックス型の建築用ビームを形成し得るようにしたことを特徴とする。
【００１１】
更に、前記のように、長手方向の４本の鉄パイプとその端部の夫々２本の縦方向、横方向の鉄パイプに加え、これらパイプを長手方向のパイプの両端間に一定間隔にて複数熔接にて固定して形成した全体の枠組みにその上下の面および左右の面に鉄板を前記鉄パイプにボルト締めすることによりボックス型の建築用ビームを形成したものである。
【００１２】
これにより、本発明のボックス型の建築用ビームは各鉄パイプを組み合わせ固定してその枠組みを形成する際には接合が簡単である熔接を用い、又鉄パイプにて形成された枠組みの周囲の面を鉄板にて覆う作業はボルト締めとすることにより簡単に製作し得る利点を有する。
【００１３】
又、鉄パイプ同士の接続固定は、ボルト締めが容易でないばかりか固定後の強度上も好ましい熔接により行ない、一方鉄パイプへの鉄板の固定に際して熔接部分の形状、面積を適切なものとし難いことから熔接ではなく、ボルト締めとした。
【００１４】
これにより、作業の簡単化はもとより、製作したボックス型の建築用ビームの強度上極めて好ましいビームを作成し得る。特に、熔接およびボルト締めの両接合手段のうち、接合箇所の性質の応じた強度を保つ上で最も適した接合手段にて接合したこととなり、極めて高い強度を有するブロック型のビームを作成し得る。
【発明の効果】
【００１５】
本発明は、製造の比較的容易な径の比較的小さい断面形状が正多角形の鉄パイプを組み合わせ接合することにより枠組み（骨組み）を覆うように接合することにより、実質上強度が大であるビームを比較的容易に形成し得る構成とした。
更に枠組み（骨組み）を形成するための鉄パイプの接合は熔接にて行ない、枠組み（骨組み）への鉄板の取り付け接合はボルト締めにすることにより、ビームの形成が容易であると共に、強度も極めて大であるという効果を有する。
【発明を実施するための最良の形態】
【００１６】
次に本発明のボックス型の建築用ビームの実施の形態を実施例をもとに説明する。
【実施例１】
【００１７】
本発明のビームの実施例は、図１に示す通りの構成である。この図１において（Ａ）は平面図、（Ｂ）は正面図、（Ｃ）は底面図、（Ｄ）は側面図である。
これら図は、本発明のビームの骨格となる枠組み（骨組み）を組み立て固定した状態を示すもので、図において、１、２、３、４は夫々完成された本発明ビームにおける四隅を構成する長い鉄製パイプで、例えば直径１００ｍｍ程度の断面正多角形状（例えば正方形）の長いパイプよりなる。又、５、６は鉄製パイプ１、２、３、４と同一形状の短い鉄製パイプよりなる横方向の連結部材で、例えば約３００ｍｍの長さのパイプである。又、図１（Ｄ）に示す７、８は、縦方向の連結部材であって、同様に鉄製パイプ１、２、３、４と同一のパイプで例えば長さが約１０００ｍｍの部材である。
【００１８】
又、９は斜材で、同一材料で上下の鉄製パイプ１、３又は２、４を連結して十分な強度を保つためのものである。
【００１９】
このように本発明のボックス型の建築用ビームは、まず上記の各パイプを熔接にて接合し、つまり、正面図（Ｂ）に示すように、上下の長い鉄製パイプ１、３を縦方向の連結部材７、８の夫々上下端とを熔接により接合固定し、更に上下の鉄製パイプで１、３と斜材９とを熔接により接合固定する。
【００２０】
同様に、長い鉄製パイプ２、４を縦方向連結部材および斜材９を熔接により結合、固定する。
【００２１】
更に、横方向の連結部材５を用いて上方の鉄製パイプ１、２を又、横方向連結部材６を用いて下方の鉄製パイプ３、４をそれぞレ熔接により結合固定する。
これにより、本発明のボックス型の建築用ビームの枠組み（骨組み）が形成される。
【００２２】
このようにして、形成された枠組み（骨組み）に、その左右の側面、上下の面に、枠組み（骨組み）全体の大きさにほぼ等しい形状の鉄板を接合する。
【００２３】
更に望ましくは、パイプに孔を設けることなく、鉄板をくりぬくことにより、隅肉熔接により鉄板を接合する。つまり、上方のパイプ１、２および下方のパイプ３、４に隅肉熔接により鉄板を熔接する。
【００２４】
ここで図に示す孔１０は、ボルト締め用のねじ孔である。このねじ孔１０を利用して、前記の鉄板を各面にボルトにて固定することにより、本発明のボックス型の建築用ビームが形成される。
【００２５】
このようにして形成された本発明のボックス型の建築用ビームは、全体が鉄板にて覆われた断面形状が長方形の中空のパイプ状のビームであって、したがって、Ｈ型鋼よりなる従来のビームに比べて極めて強度が大である。
【００２６】
しかも、角型パイプを組み合わせ固定しての枠組み（骨組み）上に鉄板を取り付けた構成であるため、その製造は比較的簡単であってコスト上も好ましい。
更に、枠組み（骨組み）を作成する際の各パイプ同士の接合は、熔接にて行なうことにより、その強度は大であり、一方鉄板の取り付けはボルト締めにて行なうために、その作業は容易である。その上、熔接に比べて強度上も好ましい。更に鉄板を前記のような隅肉熔接によりパイプに接合すれば最も望ましい。
【００２７】
逆に、パイプ同志の接合は、ボルト締めが行ないにくいばかりか強度上も好ましくない。
【００２８】
つまり、この実施例のビームは、製作が容易であり、しかも接合による強度の夫々の長所を利用して作成したもので極めて好ましい構成である。
【００２９】
尚、図１の（Ｂ）に示す斜材は、それに代えて、縦方向の連結部材（パイプ）とし、上下の鉄パイプ１、３又は２、４を接合してもよい。
【００３０】
しかし、斜材を用いればより強度を高めることが可能になる。
【産業上の利用可能性】
【００３１】
本発明は、建築物の梁等に用いるビームであって、断面が正方形状又は長方形状であり、内部が空洞である構成としたことにより、極めて強度が大であり、建築の際の使用に便利な形状にした。
【図面の簡単な説明】
【００３２】
【図１】本発明の実施例１の構成を示す図
【符号の説明】
【００３３】
１、２、３、４      鉄製パイプ
５、６、７、８      連結部材
９        斜材
【図１】
2008150777.tif 000003